【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
少なくとも画像情報を含んで記録媒体に記録されている記録情報の再生態様を編集する情報編集装置において、
前記記録媒体に記録されている記録情報の内容を示すサムネイル画像を前記画像情報に対応する画像から選択する第１の選択手段と、
前記サムネイル画像を、前記記録情報中の前記画像情報に対応する画像以外の画像から選択する第２の選択手段と、
前記第１の選択手段により選択された画像に対応する画像情報の前記記録媒体上の記録位置を示す第１の位置情報と、前記第２の選択手段により選択された画像に対応する画像情報の前記記録媒体上の記録位置を示す第２の位置情報と、を前記記録媒体に記録する記録手段と、
を備えたことを特徴とする情報編集装置。
【請求項２】
請求項１に記載の情報編集装置において、
前記第２の選択手段により選択されるサムネイル画像は、外部の画像情報から得られた画像と、前記記録情報中の前記画像情報に対応する画像以外に前記記録媒体に予め記録されている画像とのいずれかの画像であることを特徴とする情報編集装置。
【請求項３】
請求項１または２に記載の情報編集装置において、
前記記録手段は、前記第２の位置情報が記録された後に前記第２の選択手段により他の画像が新たに選択されたとき、当該新たに選択された画像に対応する画像情報の前記記録媒体上の記録位置を、新たな前記第２の位置情報として前記記録媒体に記録し直すことを特徴とする情報編集装置。
【請求項４】
少なくとも画像情報を含んで記録媒体に記録されている記録情報の再生態様を編集する情報編集方法において、
前記記録媒体に記録されている記録情報の内容を示すサムネイル画像を前記画像情報に対応する画像から選択する第１の選択工程と、
前記サムネイル画像を、前記記録情報中の前記画像情報に対応する画像以外の画像から選択する第２の選択工程と、
前記第１の選択工程により選択された画像に対応する画像情報の前記記録媒体上の記録位置を示す第１の位置情報と、前記第２の選択工程により選択された画像に対応する画像情報の前記記録媒体上の記録位置を示す第２の位置情報と、を前記記録媒体に記録する記録工程と、
を備えたことを特徴とする情報編集方法。
【請求項５】
請求項４に記載の情報編集方法において、
前記第２の選択工程により選択されるサムネイル画像は、外部の画像情報から得られた画像と、前記記録情報中の前記画像情報に対応する画像以外に前記記録媒体に予め記録されている画像とのいずれかの画像であることを特徴とする情報編集方法。
【請求項６】
少なくとも画像情報を含んで記録媒体に記録されている記録情報の再生態様を編集する情報編集装置に含まれるコンピュータを、
前記記録媒体に記録されている記録情報の内容を示すサムネイル画像を前記画像情報に対応する画像から選択する第１の選択手段、
前記サムネイル画像を、前記記録情報中の前記画像情報に対応する画像以外の画像から選択する第２の選択手段、
前記第１の選択手段により選択された画像に対応する画像情報の前記記録媒体上の記録位置を示す第１の位置情報と、前記第２の選択手段により選択された画像に対応する画像情報の前記記録媒体上の記録位置を示す第２の位置情報と、を前記記録媒体に記録する記録手段、
として機能させることを特徴とする情報編集用プログラム。
【請求項７】
請求項６に記載の情報編集用プログラムにおいて、
前記第２の選択手段により選択されるサムネイル画像は、外部の画像情報から得られた画像と、前記記録情報中の前記画像情報に対応する画像以外に前記記録媒体に予め記録されている画像とのいずれかの画像とするように機能させることを特徴とする情報編集用プログラム。
【請求項８】
請求項６または７に記載の情報編集用プログラムにおいて、
前記記録手段は、前記第２の位置情報が記録された後に前記第２の選択手段により他の画像が新たに選択されたとき、当該新たに選択された画像に対応する画像情報の前記記録媒体上の記録位置を、新たな前記第２の位置情報として前記記録媒体に記録し直すように機能させることを特徴とする情報編集用プログラム。
【請求項９】
請求項６乃至８のいずれか一項に記載の情報編集用プログラムが記録されていることを特徴とする情報記録媒体。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
上記の課題を解決するために、請求項６に記載の発明は、少なくとも画像情報を含んで記録媒体に記録されている記録情報の再生態様を編集する情報編集装置に含まれるコンピュータを、前記記録媒体に記録されている記録情報の内容を示すサムネイル画像を前記画像情報に対応する画像から選択する第１の選択手段、前記サムネイル画像を、前記記録情報中の前記画像情報に対応する画像以外の画像から選択する第２の選択手段、前記第１の選択手段により選択された画像に対応する画像情報の前記記録媒体上の記録位置を示す第１の位置情報と、前記第２の選択手段により選択された画像に対応する画像情報の前記記録媒体上の記録位置を示す第２の位置情報と、を前記記録媒体に記録する記録手段、として機能させることを特徴とする。
【手続補正５】
【補正対象書類名】明細書
【補正対象項目名】００１９
【補正方法】変更
【補正の内容】
【００１９】
この構成により、請求項６に記載の発明では、記録情報の内容を示すサムネイル画像を画像情報に対応する画像又は画像情報に対応する画像以外の画像から選択するようにコンピュータが機能することにより、サムネイル画像を任意に指定することができる。したがって、記録媒体の記録情報内に当該画像情報の内容を示すのに最適な画像情報が含まれていない場合であっても、第２の選択手段により記録情報中の画像情報に対応する画像以外の画像から選択されたサムネイル画像を指定することにより、再生時に記録媒体に記録されている記録情報の内容をユーザが明確に認識することができる。
【手続補正６】
【補正対象書類名】明細書
【補正対象項目名】００２０
【補正方法】変更
【補正の内容】
【００２０】
上記の課題を解決するために、請求項７に記載の発明は、請求項６に記載の情報編集用プログラムにおいて、前記第２の選択手段により選択されるサムネイル画像は、外部の画像情報から得られた画像と、前記記録情報中の前記画像情報に対応する画像以外に前記記録媒体に予め記録されている画像とのいずれかの画像とするように機能させることを特徴とする。
【手続補正７】
【補正対象書類名】明細書
【補正対象項目名】００２１
【補正方法】変更
【補正の内容】
【００２１】
この構成により、請求項７に記載の発明では、サムネイル画像は、外部の画像情報から得られた画像と、記録情報中の画像情報に対応する画像以外に記録媒体に予め記録されている画像とのいずれかの画像であることから、サムネイル画像を外部の画像情報から得られた画像とすれば、記録媒体の画像情報の内容を最適な画像情報として示すことができる。
【手続補正８】
【補正対象書類名】明細書
【補正対象項目名】００２２
【補正方法】変更
【補正の内容】
【００２２】
上記の課題を解決するために、請求項８に記載の発明は、請求項６または７に記載の情報編集用プログラムにおいて、前記記録手段は、前記第２の位置情報が記録された後に前記第２の選択手段により他の画像が新たに選択されたとき、当該新たに選択された画像に対応する画像情報の前記記録媒体上の記録位置を、新たな前記第２の位置情報として前記記録媒体に記録し直すように機能させることを特徴とする。
【手続補正９】
【補正対象書類名】明細書
【補正対象項目名】００２３
【補正方法】変更
【補正の内容】
【００２３】
この構成により、請求項８に記載の発明では、第２の位置情報が記録された後に他の画像が新たに選択されたとき、当該新たに選択された画像に対応する画像情報の記録媒体上の記録位置を新たな第２の位置情報とすることにより、記録媒体の画像情報の内容を常に最適な画像情報として示すことができる。
【手続補正１０】
【補正対象書類名】明細書
【補正対象項目名】００２４
【補正方法】変更
【補正の内容】
【００２４】
上記の課題を解決するために、請求項９に記載の発明は、請求項６乃至７のいずれか一項に記載の情報編集用プログラムが記録されていることを特徴とする。
【手続補正１１】
【補正対象書類名】明細書
【補正対象項目名】００２５
【補正方法】変更
【補正の内容】
【００２５】
請求項６記載の情報編集用プログラムが記録されている場合には、記録情報の内容を示すサムネイル画像を画像情報に対応する画像又は画像情報に対応する画像以外の画像から選択するようにコンピュータが機能することにより、サムネイル画像を任意に指定することができる。したがって、記録媒体の記録情報内に当該画像情報の内容を示すのに最適な画像情報が含まれていない場合であっても、第２の選択手段により記録情報中の画像情報に対応する画像以外の画像から選択されたサムネイル画像を指定することにより、再生時に記録媒体に記録されている記録情報の内容をユーザが明確に認識することができる。
【手続補正１２】
【補正対象書類名】明細書
【補正対象項目名】００２６
【補正方法】変更
【補正の内容】
【００２６】
請求項７記載の情報編集用プログラムが記録されている場合には、サムネイル画像は、外部の画像情報から得られた画像と、記録情報中の画像情報に対応する画像以外に記録媒体に予め記録されている画像とのいずれかの画像であることから、サムネイル画像を外部の画像情報から得られた画像とすれば、記録媒体の画像情報の内容を最適な画像情報として示すことができる。
【手続補正１３】
【補正対象書類名】明細書
【補正対象項目名】００２７
【補正方法】変更
【補正の内容】
【００２７】
請求項８記載の情報編集用プログラムが記録されている場合には、第２の位置情報が記録された後に他の画像が新たに選択されたとき、当該新たに選択された画像に対応する画像情報の記録媒体上の記録位置を新たな第２の位置情報とすることにより、記録媒体の画像情報の内容を常に最適な画像情報として示すことができる。
【手続補正１４】
【補正対象書類名】明細書
【補正対象項目名】０１３２
【補正方法】削除
【補正の内容】
【手続補正１５】
【補正対象書類名】明細書
【補正対象項目名】０１３３
【補正方法】変更
【補正の内容】
【０１３３】
請求項６に記載の発明によれば、記録情報の内容を示すサムネイル画像を画像情報に対応する画像又は画像情報に対応する画像以外の画像から選択するようにコンピュータが機能することにより、サムネイル画像を任意に指定することができる。したがって、記録媒体の記録情報内に当該画像情報の内容を示すのに最適な画像情報が含まれていない場合であっても、第２の選択手段により記録情報中の画像情報に対応する画像以外の画像から選択されたサムネイル画像を指定することにより、再生時に記録媒体に記録されている記録情報の内容をユーザが明確に認識することができる。
【手続補正１６】
【補正対象書類名】明細書
【補正対象項目名】０１３４
【補正方法】変更
【補正の内容】
【０１３４】
請求項７に記載の発明によれば、請求項６に記載の発明の効果に加えて、サムネイル画像は、外部の画像情報から得られた画像と、記録情報中の画像情報に対応する画像以外に記録媒体に予め記録されている画像とのいずれかの画像であることから、サムネイル画像を外部の画像情報から得られた画像とすれば、記録媒体の画像情報の内容を最適な画像情報として示すことができる。
【手続補正１７】
【補正対象書類名】明細書
【補正対象項目名】０１３５
【補正方法】変更
【補正の内容】
【０１３５】
請求項８に記載の発明によれば、請求項６または７に記載の発明の効果に加えて、第２の位置情報が記録された後に他の画像が新たに選択されたとき、当該新たに選択された画像に対応する画像情報の記録媒体上の記録位置を新たな第２の位置情報とすることにより、記録媒体の画像情報の内容を常に最適な画像情報として示すことができる。
【手続補正１８】
【補正対象書類名】明細書
【補正対象項目名】０１３６
【補正方法】変更
【補正の内容】
【０１３６】
請求項９に記載の発明によれば、請求項６に記載の情報編集用プログラムが記録されている場合には、記録情報の内容を示すサムネイル画像を画像情報に対応する画像又は画像情報に対応する画像以外の画像から選択するようにコンピュータが機能することにより、サムネイル画像を任意に指定することができる。したがって、記録媒体の記録情報内に当該画像情報の内容を示すのに最適な画像情報が含まれていない場合であっても、第２の選択手段により記録情報中の画像情報に対応する画像以外の画像から選択されたサムネイル画像を指定することにより、再生時に記録媒体に記録されている記録情報の内容をユーザが明確に認識することができる。
【手続補正１９】
【補正対象書類名】明細書
【補正対象項目名】０１３７
【補正方法】変更
【補正の内容】
【０１３７】
請求項７記載の情報編集用プログラムが記録されている場合には、サムネイル画像は、外部の画像情報から得られた画像と、記録情報中の画像情報に対応する画像以外に記録媒体に予め記録されている画像とのいずれかの画像であることから、サムネイル画像を外部の画像情報から得られた画像とすれば、記録媒体の画像情報の内容を最適な画像情報として示すことができる。
【手続補正２０】
【補正対象書類名】明細書
【補正対象項目名】０１３８
【補正方法】変更
【補正の内容】
【０１３８】
請求項８記載の情報編集用プログラムが記録されている場合には、第２の位置情報が記録された後に他の画像が新たに選択されたとき、当該新たに選択された画像に対応する画像情報の記録媒体上の記録位置を新たな第２の位置情報とすることにより、記録媒体の画像情報の内容を常に最適な画像情報として示すことができる。